(57)【要約】【課題】ユーザにとって利便性の高いＩＣカードを提供すること。【解決手段】ＩＣカードは、複数のカードの識別情報を格納するカード格納部と、利用可能なカードの識別情報をサービス提供者から取得する利用可能カード取得部と、取得された識別情報のうち、カード格納部が格納している識別情報を特定する利用可能カード特定部と、特定された識別情報が示すカードの利用情報を取得するカード利用情報取得部と、取得された利用情報の内容に基づいて利用可能カード特定部が特定した識別情報毎にカードの推奨度を決定する推奨度決定部と、決定された推奨度に応じて利用可能カード特定部が特定した識別情報が識別するカードのカード情報をユーザに提示するカード提示部と、提示されたカード情報が示すカードの１つをユーザに選択させる利用カード選択部と、選択されたカードとしてＩＣカードを利用可能に設定する利用カード情報設定部とを備える。【選択図】図２
2007272728.tif 000002
【特許請求の範囲】
【請求項１】
異なる複数のクレジットカードとして機能するＩＣカードであって、
前記複数のクレジットカードを識別するカード識別情報を格納するカード格納部と、
サービスの提供を受けるために利用可能なクレジットカードを識別するカード識別情報を、当該サービスの提供者から取得する利用可能カード取得部と、
前記利用可能カード取得部が取得したカード識別情報のうち、前記カード格納部が格納しているカード識別情報を特定する利用可能カード特定部と、
前記利用可能カード特定部が特定したカード識別情報によって識別されるクレジットカードに関するカード利用情報を、カード識別情報に対応づけて取得するカード利用情報取得部と、
前記カード利用情報取得部が取得したカード利用情報の内容に基づいて、前記利用可能カード特定部が特定したカード識別情報毎に、クレジットカードの利用を推奨する度合いを示す推奨度を決定する推奨度決定部と、
前記利用可能カード特定部が特定したカード識別情報のそれぞれが識別するクレジットカードのカード情報を、前記推奨度決定部が決定したカード識別情報毎の推奨度に応じてユーザに提示するカード提示部と、
前記カード提示部がユーザに提示したカード情報が示すクレジットカードのうちの１つをユーザに選択させる利用カード選択部と、
前記利用カード選択部によって選択されたクレジットカードとして前記ＩＣカードを利用可能に設定する利用カード情報設定部と
を備えるＩＣカード。
【請求項２】
前記カード提示部は、前記推奨度決定部がより高い推奨度を決定したカード識別情報のそれぞれが識別するクレジットカードのカード情報をより強調して前記ＩＣカードのユーザに提示する
請求項１に記載のＩＣカード。
【請求項３】
前記カード利用情報取得部は、クレジットカードを過去に利用したことによって得られた現ポイント数及びポイント数に応じた特典を受けることができる下限のポイント数である下限ポイント数を取得し、
前記推奨度決定部は、前記カード利用情報取得部が取得した現ポイント数が前記カード利用情報取得部が取得した下限ポイント数より小さく、かつ、当該現ポイント数と当該下限ポイント数との差がより小さいクレジットカードの推奨度をより高く決定する
請求項１に記載のＩＣカード。
【請求項４】
前記カード利用情報取得部は、クレジットカードが利用された利用頻度をカード識別情報に対応づけて取得し、
前記推奨度決定部は、前記カード利用情報取得部が取得した利用頻度のより高いクレジットカードの推奨度をより高く決定する
請求項１に記載のＩＣカード。
【請求項５】
前記カード提示部は、前記推奨度決定部がより高い推奨度を決定したクレジットカードのカード情報をより強調して表示する
請求項２に記載のＩＣカード。
【請求項６】
前記カード提示部は、前記推奨度決定部がより高い推奨度を決定したクレジットカードのカード情報を、表示領域において他のクレジットカードのカード情報より前面に表示する
請求項５に記載のＩＣカード。
【請求項７】
前記カード提示部は、前記推奨度決定部がより高い推奨度を決定したクレジットカードを示すカード情報を、表示領域においてより高いコントラストで表示する
請求項５に記載のＩＣカード。
【請求項８】
前記利用カード選択部が選択したクレジットカードのカード情報を、前記カード提示部の表示領域の全面に表示させる提示制御部
をさらに備える請求項５に記載のＩＣカード。
【請求項９】
ユーザによるＩＣカード１１０に対する操作を感知する複数の感知域を有するセンサ部
をさらに備え、
前記カード提示部は、前記利用可能カード特定部が特定したカード識別情報によって識別される異なるクレジットカードのカード情報を、前記センサ部の異なる感知域に対応づけて提示し、
前記利用カード選択部は、ユーザによる操作を感知した感知域に対応づけて前記カード提示部が提示したクレジットカードを選択する
請求項１に記載のＩＣカード。
【請求項１０】
前記複数の感知域は、ユーザによるＩＣカード１１０に対する操作に対して異なる感度をそれぞれ有し、
前記カード提示部は、前記推奨度決定部がより高い推奨度を決定したクレジットカードのカード情報を、感度のより高い感知域に対応づけて提示する
請求項９に記載のＩＣカード。
【請求項１１】
異なる複数のクレジットカードとして機能するＩＣカードを備えるＩＣカードシステムであって、
ユーザにサービスを提供するためにユーザが利用可能なクレジットカードを識別するカード識別情報を格納する利用可能カード格納部と、
前記複数のクレジットカードを識別するカード識別情報を格納するカード格納部と、
サービスの提供を受けるために利用可能なクレジットカードを識別するカード識別情報を、前記利用可能カード格納部から取得する利用可能カード取得部と、
前記利用可能カード取得部が取得したカード識別情報のうち、前記カード格納部が格納しているカード識別情報を特定する利用可能カード特定部と、
前記利用可能カード特定部が特定したカード識別情報によって識別されるクレジットカードに関するカード利用情報を、カード識別情報に対応づけて取得するカード利用情報取得部と、
前記カード利用情報取得部が取得したカード利用情報の内容に基づいて、前記利用可能カード特定部が特定したカード識別情報毎に、クレジットカードの利用を推奨する度合いを示す推奨度を決定する推奨度決定部と、
前記利用可能カード特定部が特定したカード識別情報のそれぞれが識別するクレジットカードのカード情報を、前記推奨度決定部が決定したカード識別情報毎の推奨度に応じてユーザに提示するカード提示部と、
前記カード提示部がユーザに提示したカード情報が示すクレジットカードのうちの１つをユーザに選択させる利用カード選択部と、
前記利用カード選択部によって選択されたクレジットカードとして前記ＩＣカードを利用可能に設定する利用カード情報設定部と
を備えるＩＣカードシステム。
【請求項１２】
前記利用可能カード取得部、前記利用可能カード特定部、カード利用情報取得部、推奨度決定部、カード提示部、利用カード選択部、及び利用カード情報設定部は、前記ＩＣカードに設けられ、
前記利用可能カード格納部は、前記サービスの提供者の店舗内に位置する前記ＩＣカードからアクセス可能に設けられる
請求項１１に記載のＩＣカードシステム。
【請求項１３】
前記利用可能カード取得部は、サービスの提供を受けるために利用可能なクレジットカードを識別するカード識別情報を、前記利用可能カード格納部から無線によって取得する
請求項１２に記載のＩＣカードシステム。
【請求項１４】
店舗における前記ＩＣカードの存在を検知する検知部
をさらに備え、
前記利用可能カード取得部は、前記検知部が店舗における前記ＩＣカードの存在を検知した場合に、サービスの提供を受けるために利用可能なクレジットカードを識別するカード識別情報を、前記利用可能カード格納部から取得する
請求項１２に記載のＩＣカードシステム。
【発明の詳細な説明】
【技術分野】
【０００１】
本発明は、ＩＣカード及びＩＣカードシステムに関する。特に本発明は、複数のカードとして機能するＩＣカード、及び当該ＩＣカードを含むＩＣカードシステムに関する。
【０００２】
１つの媒体で認証、決済に使用することができる多目的の携帯媒体及びそのシステムが提案されている（例えば、特許文献１参照。）。このシステムでは、携帯媒体から読み込まれたユーザＩＤ及びユーザが入力したパスワードが店舗のサーバに送信され、店舗のサーバから店舗ＩＤ、ユーザＩＤ、及びパスワードがＤＢサーバに送信される。ＤＢサーバでは、ユーザＩＤ及びパスワードによって認証する。情報ＤＢサーバにはユーザが所有するカードード情報が蓄積されていて、その店舗で使用可能なカードが情報ＤＢサーバにおいて選別され、店舗の情報端末装置に送信される。そして、情報端末装置において選別されたカード情報が表示される。決済に使用するカードをユーザが入力すると、そのカード情報が決済を行うサーバに送信されて決済処理がなされる。
【特許文献１】特開２００４−１２６８９８号公報
【発明の開示】
【発明が解決しようとする課題】
【０００３】
ユーザが複数のクレジットカードを持っている場合、ユーザは、過去のクレジットカードの利用によって蓄積されたポイント等に応じて、利用するクレジットカードを決定することができることが望ましい。特許文献１によるシステムでは、例えば商品の購入時にＤＢサーバから送信された使用可能なカードの中から、決済に使用するカードをユーザが選択する。しかし、特許文献１によるシステムでは、ユーザは、蓄積されたポイント情報等をカードの選択時に参考にすることができない。したがって、ユーザがいずれのカードを選択することが望ましいかを適切に判断することができないという課題があった。
【０００４】
そこで本発明は、上記の課題を解決することができるＩＣカード及びＩＣカードシステムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態によると、異なる複数のクレジットカードとして機能するＩＣカードであって、複数のクレジットカードを識別するカード識別情報を格納するカード格納部と、サービスの提供を受けるために利用可能なクレジットカードを識別するカード識別情報を、当該サービスの提供者から取得する利用可能カード取得部と、利用可能カード取得部が取得したカード識別情報のうち、カード格納部が格納しているカード識別情報を特定する利用可能カード特定部と、利用可能カード特定部が特定したカード識別情報によって識別されるクレジットカードに関するカード利用情報を、カード識別情報に対応づけて取得するカード利用情報取得部と、カード利用情報取得部が取得したカード利用情報の内容に基づいて、利用可能カード特定部が特定したカード識別情報毎に、クレジットカードの利用を推奨する度合いを示す推奨度を決定する推奨度決定部と、利用可能カード特定部が特定したカード識別情報のそれぞれが識別するクレジットカードのカード情報を、推奨度決定部が決定したカード識別情報毎の推奨度に応じてユーザに提示するカード提示部と、カード提示部がユーザに提示したカード情報が示すクレジットカードのうちの１つをユーザに選択させる利用カード選択部と、利用カード選択部によって選択されたクレジットカードとしてＩＣカードを利用可能に設定する利用カード情報設定部とを備える。
【０００６】
カード提示部は、推奨度決定部がより高い推奨度を決定したカード識別情報のそれぞれが識別するクレジットカードのカード情報をより強調してＩＣカードのユーザに提示してよい。
【０００７】
カード利用情報取得部は、クレジットカードを過去に利用したことによって得られた現ポイント数及びポイント数に応じた特典を受けることができる下限のポイント数である下限ポイント数を取得し、推奨度決定部は、カード利用情報取得部が取得した現ポイント数がカード利用情報取得部が取得した下限ポイント数より小さく、かつ、当該現ポイント数と当該下限ポイント数との差がより小さいクレジットカードの推奨度をより高く決定してよい。
【０００８】
カード利用情報取得部は、クレジットカードが利用された利用頻度をカード識別情報に対応づけて取得し、推奨度決定部は、カード利用情報取得部が取得した利用頻度のより高いクレジットカードの推奨度をより高く決定してよい。
【０００９】
カード提示部は、推奨度決定部がより高い推奨度を決定したクレジットカードのカード情報をより強調して表示してよい。カード提示部は、推奨度決定部がより高い推奨度を決定したクレジットカードのカード情報を、表示領域において他のクレジットカードのカード情報より前面に表示してよい。また、カード提示部は、推奨度決定部がより高い推奨度を決定したクレジットカードを示すカード情報を、表示領域においてより高いコントラストで表示してよい。
【００１０】
利用カード選択部が選択したクレジットカードのカード情報を、カード提示部の表示領域の全面に表示させる提示制御部をさらに備えてよい。
【００１１】
ユーザによるＩＣカード１１０に対する操作を感知する複数の感知域を有するセンサ部をさらに備え、カード提示部は、利用可能カード特定部が特定したカード識別情報によって識別される異なるクレジットカードのカード情報を、センサ部の異なる感知域に対応づけて提示し、利用カード選択部は、ユーザによる操作を感知した感知域に対応づけてカード提示部が提示したクレジットカードを選択してよい。
【００１２】
複数の感知域は、ユーザによるＩＣカード１１０に対する操作に対して異なる感度をそれぞれ有し、カード提示部は、推奨度決定部がより高い推奨度を決定したクレジットカードのカード情報を、感度のより高い感知域に対応づけて提示してよい。
【００１３】
本発明の第２の形態によると、異なる複数のクレジットカードとして機能するＩＣカードを備えるＩＣカードシステムであって、ユーザにサービスを提供するためにユーザが利用可能なクレジットカードを識別するカード識別情報を格納する利用可能カード格納部と、複数のクレジットカードを識別するカード識別情報を格納するカード格納部と、サービスの提供を受けるために利用可能なクレジットカードを識別するカード識別情報を、利用可能カード格納部から取得する利用可能カード取得部と、利用可能カード取得部が取得したカード識別情報のうち、カード格納部が格納しているカード識別情報を特定する利用可能カード特定部と、利用可能カード特定部が特定したカード識別情報によって識別されるクレジットカードに関するカード利用情報を、カード識別情報に対応づけて取得するカード利用情報取得部と、カード利用情報取得部が取得したカード利用情報の内容に基づいて、利用可能カード特定部が特定したカード識別情報毎に、クレジットカードの利用を推奨する度合いを示す推奨度を決定する推奨度決定部と、利用可能カード特定部が特定したカード識別情報のそれぞれが識別するクレジットカードのカード情報を、推奨度決定部が決定したカード識別情報毎の推奨度に応じてユーザに提示するカード提示部と、カード提示部がユーザに提示したカード情報が示すクレジットカードのうちの１つをユーザに選択させる利用カード選択部と、利用カード選択部によって選択されたクレジットカードとしてＩＣカードを利用可能に設定する利用カード情報設定部とを備える。
【００１４】
利用可能カード取得部、利用可能カード特定部、カード利用情報取得部、推奨度決定部、カード提示部、利用カード選択部、及び利用カード情報設定部は、ＩＣカードに設けられ、利用可能カード格納部は、サービスの提供者の店舗内に位置するＩＣカードからアクセス可能に設けられてよい。利用可能カード取得部は、サービスの提供を受けるために利用可能なクレジットカードを識別するカード識別情報を、利用可能カード格納部から無線によって取得してよい。
【００１５】
店舗におけるＩＣカードの存在を検知する検知部をさらに備え、利用可能カード取得部は、検知部が店舗におけるＩＣカードの存在を検知した場合に、サービスの提供を受けるために利用可能なクレジットカードを識別するカード識別情報を、利用可能カード格納部から取得してよい。
【００１６】
なお上記の発明の概要は、本発明の必要な特徴の全てを列挙したものではなく、これらの特徴群のサブコンビネーションもまた発明となりうる。
【発明の効果】
【００１７】
本発明によれば、ユーザにとって利便性の高いＩＣカードを提供することができる。
【発明を実施するための最良の形態】
【００１８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１９】
図１は、ＩＣカードシステム１００の利用環境の一例を示す。ＩＣカードシステム１００は、ＩＣカード１１０、サービス提供サーバ１２０、アンテナ１２５、利用可能カード格納部１３０、利用可能カード格納部１３０、通信回線１５０、カード情報サーバ１７５、及びカード利用情報格納部１８０を備える。ＩＣカードシステム１００は、異なる複数のクレジットカードとして機能する、フレキシブルなＩＣカード１１０を利用することができるシステムを提供する。サービス提供サーバ１２０、アンテナ１２５、利用可能カード格納部１３０、及び利用可能カード格納部１３０は、店舗１６０ａ〜ｃ（以下、店舗１６０と総称する）のそれぞれに設けられる。複数のカード情報サーバ１７５、カード利用情報格納部１８０は、例えば、クレジットカードの発行会社又はイシュア等のカード会社１７０ａ〜ｃ（以下、カード会社１７０と総称する）のそれぞれに設けられる。
【００２０】
ＩＣカード１１０は、ユーザ１９０が契約している複数のクレジットカードを、クレジットカードを識別する情報に対応づけて記憶している。クレジットカードを識別する情報とは、例えば少なくともクレジットカードのブランドを示す情報を含み、カード会社１７０、カード番号、有効期限、契約者の名前等を含む。
【００２１】
サービス提供サーバ１２０は、店舗１６０におけるＩＣカードシステム１００を利用したサービスの提供を支援する。具体的には、サービス提供サーバ１２０は、ＩＣカードシステム１００が利用可能である旨を示す電波をアンテナ１２５から送信する。アンテナ１２５は、店舗１６０の店内の少なくとも一部からＩＣカード１１０が受信可能な電波を送信する。また、利用可能カード格納部１３０は、サービス提供サーバ１２０に接続され、店舗１６０において利用可能なクレジットカードのブランドを格納している。そして、ユーザ１９０が店舗１６０ａに入店して、ユーザ１９０が携帯するＩＣカード１１０がアンテナ１２５からの電波を検知すると、ＩＣカード１１０は、アンテナ１２５を介してサービス提供サーバ１２０と通信して、利用可能カード格納部１３０から利用可能なクレジットカードのブランドを取得する。
【００２２】
そしてＩＣカード１１０は、取得したクレジットカードのブランドに対応づけて予め記憶しているクレジットカードを特定する。そして、ＩＣカード１１０は、特定したクレジットカードのそれぞれの利用情報を、アンテナ１２５、サービス提供サーバ１２０、通信回線１５０、及びカード情報サーバ１７５を介して、カード利用情報格納部１８０から取得する。クレジットカードの利用情報とは、例えば利用可能残高、締め日、ポイント数、ポイント有効期限、キャンペーン情報等であってよい。そして、ＩＣカード１１０は、取得したカード利用情報に基づいて、クレジットカードの利用を推奨する推奨度をクレジットカード毎に決定する。例えば、ＩＣカード１１０は、既に取得しているポイント数がより多いクレジットカードの推奨度をより高く決定する。そして、ＩＣカード１１０は、店舗１６０で利用可能であると特定したブランドのクレジットカードのカード情報を、推奨度に応じて表示デバイス１１２に表示する。例えば、ＩＣカード１１０は、店舗１６０で利用可能な複数のクレジットカードのカード情報のそれぞれを表示デバイス１１２の異なる位置に表示する。そして、ＩＣカード１１０は、推奨度のより高いクレジットカードのカード情報を、例えば表示デバイス１１２のより中央に、より大きく表示する。
【００２３】
そして、ＩＣカード１１０は、利用可能なクレジットカードをユーザ１９０に選択させる。表示デバイス１１２はタッチパネルを有しており、ＩＣカード１１０は、ユーザ１９０が押下したタッチパネル上の位置と、カード情報を提示した表示デバイス１１２の位置に基づいて、いずれのクレジットカードが選択されたかを特定する。そして、ＩＣカード１１０は、特定したクレジットカードのカード情報を、表示デバイス１１２の全域に表示するとともに、カード情報をＩＣカード１１０で利用可能に設定する。このとき、ＩＣカード１１０は、他のクレジットカードを利用不可に設定する。
【００２４】
なお、表示デバイス１１２は、電子ペーパ、液晶、有機ＥＬ等、フレキシブルカードに形成可能な表示デバイスであってよい。また、表示デバイス１１２によるクレジットカードの表示機能は、ＩＣカード１１０とは別の、ＩＣカード１１０と通信可能な装置によって提供されてもよい。また、充電装置１４０は店舗１６０に設けられ、磁界を用いてＩＣカード１１０に電力を供給する。また、決済端末１３５は、ＩＣカード１１０による決済時に、ＩＣカード１１０に電力を供給してもよい。
【００２５】
図２は、ＩＣカード１１０のブロック構成を示す。ＩＣカード１１０は、カード格納部２００、利用可能カード取得部２１０、カード利用情報取得部２２０、利用可能カード特定部２３０、推奨度決定部２４０、カード提示部２５０、提示制御部２６０、利用カード選択部２７０、利用カード設定部２８０、通信制御部２９０、センサ部２９４、検知部２９２、充電部２９６、及び電源部２９８を備える。
【００２６】
カード格納部２００は、複数のクレジットカードを識別するカード識別情報を格納する。利用可能カード取得部２１０は、サービスの提供を受けるために利用可能なクレジットカードを識別するカード識別情報を、当該サービスの提供者から取得する。具体的には、検知部２９２は、店舗１６０におけるＩＣカード１１０の存在を検知する。例えば、検知部２９２は、アンテナ１２５からの無線信号によって、店舗１６０におけるＩＣカード１１０の存在を検知する。そして、利用可能カード取得部２１０は、検知部２９２が店舗１６０におけるＩＣカード１１０の存在を検知した場合に、サービスの提供を受けるために利用可能なクレジットカードを識別するカード識別情報を、利用可能カード格納部１３０から取得する。
【００２７】
そして、利用可能カード特定部２３０は、利用可能カード取得部２１０が取得したカード識別情報とカード格納部２００が格納しているカード識別情報とを比較して、利用可能カード取得部２１０が取得したカード識別情報のうち、カード格納部２００が格納しているカード識別情報を特定する。そして、カード利用情報取得部２２０は、利用可能カード特定部２３０が特定したカード識別情報によって識別されるクレジットカードに関するカード利用情報を、カード識別情報に対応づけて取得する。具体的には、カード利用情報取得部２２０は、アンテナ１２５、サービス提供サーバ１２０、通信回線１５０、及びカード情報サーバ１７５を介して、カード利用情報格納部１８０からカード利用情報を取得する。このとき、カード情報サーバ１７５とＩＣカード１１０との間では、カード利用情報が暗号化されて通信される。
【００２８】
そして、推奨度決定部２４０は、カード利用情報取得部２２０が取得したカード利用情報の内容に基づいて、利用可能カード特定部２３０が特定したカード識別情報毎に、クレジットカードの利用を推奨する度合いを示す推奨度を決定する。
【００２９】
そして、カード提示部２５０は、利用可能カード特定部２３０が特定したカード識別情報のそれぞれが識別するクレジットカードのカード情報を、推奨度決定部２４０が決定したカード識別情報毎の推奨度に応じてユーザ１９０に提示する。具体的には、カード提示部２５０は、推奨度決定部２４０がより高い推奨度を決定したカード識別情報が識別するクレジットカードのカード情報をより強調してＩＣカード１１０のユーザ１９０に提示する。このように、カード提示部２５０は、推奨度決定部２４０がより高い推奨度を決定したクレジットカードのカード情報をより強調して表示する。なお、カード情報とは、クレジットカードのロゴ画像等、カード格納部２００が格納している複数のクレジットをユーザ１９０が識別することができる情報を示す。
【００３０】
そして、利用カード選択部２７０は、カード提示部２５０がユーザ１９０に提示したカード情報が示すクレジットカードのうちの１つをユーザ１９０に選択させる。利用カード設定部２８０は、利用カード選択部２７０によって選択されたクレジットカードとしてＩＣカード１１０を利用可能に設定する。また、提示制御部２６０は、利用カード選択部２７０が選択したクレジットカードのカード情報を、カード提示部２５０の表示領域の全面に表示させる。
【００３１】
なお、カード利用情報取得部２２０は、クレジットカードを過去に利用したことによって得られた現ポイント数及びポイント数に応じた特典を受けることができる下限のポイント数である下限ポイント数を取得する。そして、推奨度決定部２４０は、カード利用情報取得部２２０が取得した現ポイント数がカード利用情報取得部２２０が取得した下限ポイント数より小さく、かつ、当該現ポイント数と当該下限ポイント数との差がより小さいクレジットカードの推奨度をより高く決定する。また、カード利用情報取得部２２０は、クレジットカードが利用された利用頻度をカード識別情報に対応づけて取得してよい。そして、推奨度決定部２４０は、カード利用情報取得部２２０が取得した利用頻度のより高いクレジットカードの推奨度をより高く決定してよい。
【００３２】
なお、カード提示部２５０は、推奨度決定部２４０がより高い推奨度を決定したクレジットカードのカード情報を、表示領域において他のクレジットカードのカード情報より前面に表示してよい。また、カード提示部２５０は、推奨度決定部２４０がより高い推奨度を決定したクレジットカードのカード情報を、表示領域において他のクレジットカードのカード情報より中央に表示してよい。また、カード提示部２５０は、推奨度決定部２４０がより高い推奨度を決定したクレジットカードを示すカード情報を、表示領域においてより高いコントラストで表示してよい。
【００３３】
センサ部２９４は、ユーザ１９０によるＩＣカード１１０に対する操作を感知する。具体的には、センサ部２９４は、ユーザ１９０によるＩＣカード１１０に対する操作を感知する複数の感知域を有する。そして、カード提示部２５０は、利用可能カード特定部２３０が特定したカード識別情報によって識別される異なるクレジットカードのカード情報を、センサ部２９４の異なる感知域に対応づけて提示する。そして、利用カード選択部２７０は、ユーザ１９０による操作を感知した感知域に対応づけてカード提示部２５０が提示したクレジットカードを選択する。
【００３４】
なお、複数の感知域は、ユーザ１９０による操作に対する異なる感度をそれぞれ有している。そして、カード提示部２５０は、推奨度決定部２４０がより高い推奨度を決定したクレジットカードのカード情報を、感度のより高い感知域に対応づけて提示する。これにより、ユーザ１９０が推奨度の低いクレジットカードを誤って選択してしまう可能性を低減することができる。
【００３５】
なお、利用可能カード格納部１３０は、サービスの提供者の店舗１６０内に位置するＩＣカード１１０からアクセス可能に設けられる。具体的には、利用可能カード格納部１３０は、アンテナ１２５を介してＩＣカード１１０からアクセス可能に設けられる。アンテナ１２５を介したＩＣカード１１０からのアクセス可能領域は、少なくとも店舗１６０内の一部を含む。また、アンテナ１２５は、店舗１６０の入口の近傍をアクセス可能領域とすべく設置されてよい。
【００３６】
なお、充電部２９６は、決済端末１３５又は充電装置１４０から受け取った電力を電源部２９８に供給する。電源部２９８は、電池等の、充電可能な電源を有し、ＩＣカード１１０の各部に電力を供給する。
【００３７】
なお、図１で説明した表示デバイス１１２は、カード提示部２５０の一例である。また、利用可能カード取得部２１０、カード利用情報取得部２２０、利用可能カード特定部２３０、推奨度決定部２４０、提示制御部２６０、及び検知部２９２の機能は、サービス提供サーバ１２０が備えてもよい。例えば、サービス提供サーバ１２０がＩＣカード１１０の存在を検知すると、サービス提供サーバ１２０はＩＣカード１１０からカード識別情報を取得してよい。そして、サービス提供サーバ１２０が、店舗１６０で利用することができるクレジットカードを特定して、カード利用情報格納部１８０から取得したカード利用情報に基づいて推奨度を決定し、決定した推奨度に基づいてカード情報をＩＣカード１１０に提示させる。この場合、ＩＣカード１１０は、サービス提供サーバ１２０から受け取ったカード情報のユーザ１９０への提示動作、ユーザ１９０からのクレジットカードの選択操作、及び選択されたクレジットカードの設定動作を行う。
【００３８】
図３は、ＩＣカード１１０の動作フローの一例を示す。検知部２９２は、定期的にＩＣカード１１０の周囲の電波を検知しており、アンテナ１２５からの電波を検知したか否かを判断する（Ｓ３０２）。Ｓ３０２において、アンテナ１２５からの電波を検知していない場合には、検知部２９２はＳ３０２の判断を所定の時間間隔で繰り返す。
【００３９】
Ｓ３０２において、検知部２９２がアンテナ１２５からの電波を検知した場合、利用可能カード取得部２１０は、店舗１６０において利用可能なカードのブランドを、通信制御部２９０を介して利用可能カード格納部１３０から取得する（Ｓ３０４）。そして、利用可能カード特定部２３０は、カード格納部２００がクレジットカードに対応づけて格納しているブランドとＳ３０４において利用可能カード取得部２１０が取得したブランドとを比較して、カード格納部２００が格納しているブランドと合致するクレジットカードを特定する。そして、利用可能カード特定部２３０は、利用可能なカードが特定されたか否かを判断する（Ｓ３０６）。
【００４０】
Ｓ３０６において、利用可能なクレジットカードが特定された旨が判断された場合、カード利用情報取得部２２０は、特定されたクレジットカードの利用情報を、カード利用情報格納部１８０から取得する（Ｓ３０８）。なお、カード利用情報とは、例えば、クレジットカードを使用することによって加算されるポイント数、利用金額当たりに加算されるポイント数等を示すポイントの加算条件、ポイント数に応じて与えられる特典の取得条件等を示す特典情報、キャンペーン情報等のサービス情報、或いは利用可能残高及び当月の利用額等のカードの利用状況を含む。なお、カード利用情報は、決済に必要なカード番号、有効期限、氏名等の決済情報を含んでもよいし、含まなくてもよい。
【００４１】
なお、カード格納部２００がユーザ１９０を識別することができるユーザ識別情報を格納している場合には、カード利用情報を取得するために、カード利用情報取得部２２０は、カード格納部２００が格納しているユーザ識別情報をカード情報サーバ１７５に送信してもよい。これにより、カード情報サーバ１７５は、ユーザ１９０と契約しているクレジットカードの利用情報を、ユーザ識別情報に基づいてカード利用情報格納部１８０から検索して、ＩＣカード１１０に送信することができる。また、カード格納部２００が、カード会社１７０側でクレジットカードを特定することが可能な情報（例えばクレジットカード毎に割り当てられたカードＩＤ、又は決済情報等）を格納している場合には、当該情報をカード情報サーバ１７５に送信してよい。これにより、カード情報サーバ１７５は、当該情報によって識別されるクレジットカードの利用情報をカード利用情報格納部１８０から検索して、ＩＣカード１１０に送信することができる。
【００４２】
そして、カード利用情報取得部２２０は、通信制御部２９０を介して、店舗１６０を識別する店ＩＤを、サービス提供サーバ１２０から取得する（Ｓ３１０）。店ＩＤとは、店舗１６０のそれぞれを識別する情報であってよいし、その店舗１６０でサービスを提供しているサービス事業者を特定する情報であってもよい。また、店ＩＤとは、店舗１６０で提供されるサービスのブランド、又はジャンルを識別する情報であってもよい。
【００４３】
そして、カード利用情報取得部２２０は、店ＩＤで識別される平均購買額を取得する（Ｓ３１２）。具体的には、カード格納部２００はユーザ１９０を識別するユーザ識別情報を格納しており、サービス提供サーバ１２０は、クレジットカードの決済時等にカード格納部２００からユーザ識別情報を取得して、取得したユーザ識別情報に対応づけて決済時の購買額を記憶しておく。そして、サービス提供サーバ１２０は、ユーザ１９０の入店時にカード格納部２００が格納しているユーザ識別情報を取得して、取得したユーザ識別情報に対応づけてサービス提供サーバ１２０が格納している購買額から平均購買額を算出する。そして、カード利用情報取得部２２０は、サービス提供サーバ１２０が算出した平均購買額を取得する。また、カード格納部２００自身が、店ＩＤに対応づけて購買額を記憶しておくこともできる。
【００４４】
そして、推奨度決定部２４０は、カード利用情報取得部２２０が取得した平均購買額を利用した場合に加算されるポイントを示す平均取得ポイント数を取得する（Ｓ３１４）。そして、推奨度決定部２４０は、Ｓ３０６において特定した利用可能なクレジットカードのそれぞれについて、推奨度を決定する（Ｓ３１６）。なお、推奨度決定部２４０が推奨度を決定する具体的な決定方法は、図４に関連して説明する。
【００４５】
そして、提示制御部２６０は、推奨度決定部２４０が決定した推奨度に応じて提示態様を決定して、カード提示部２５０に表示させる（Ｓ３１８）。そして、利用カード選択部２７０は、ユーザ１９０からの指示による選択指示によって、１つのクレジットカードを選択する（Ｓ３２０）。そして、利用カード設定部２８０は、Ｓ３２０において選択されたクレジットカードによる決済に必要な情報をＩＣカード１１０に書き込んで、そのクレジットカードのみを利用可能に設定する。このとき、利用カード設定部２８０は、他のクレジットカードによる決済に必要な情報が既にＩＣカード１１０に書き込まれている場合には、その情報を消去する。
【００４６】
なお、Ｓ３０６において、利用可能なクレジットカードが特定されなかった旨が判断された場合には、ＩＣカード１１０が機能することができる全てのクレジットカードを使用不可に設定して（Ｓ３３２）、処理を終了する。
【００４７】
なお、カード利用情報取得部２２０は、店舗１６０のサービス情報を、サービス提供サーバ１２０から取得してもよい。そして、カード提示部２５０は、カード利用情報取得部２２０が取得した店舗１６０のサービス情報を表示してもよい。以上説明したように、ＩＣカードシステム１００によると、ユーザ１９０は複数のクレジットカードの機能を、一枚のＩＣカード１１０において容易に切り替えて使用することができる。また、ＩＣカード１１０は、ユーザ１９０が店舗１６０で商品を選んでいる間、さらに言えば、ユーザ１９０が店舗１６０に入店する前に、上記のＳ３１８までの動作を完了させることができる。したがって、ユーザ１９０は、決済端末１３５で決済するタイミングより充分前に、複数のクレジットカードのいずれを使用するかを予め決定しておくことができる。
【００４８】
図４は、推奨度決定部２４０が推奨度を決定する推奨度決定要因の一例を示す。推奨度決定部２４０は、利用額（以下、値Ａと呼ぶ）、利用可能残高から平均購買額を差し引いた値（以下、値Ｂと呼ぶ）、特典ポイント数から現ポイント数を差し引いた値（以下、値Ｃと呼ぶ）、減ポイント数と平均取得ポイント数との和から特典ポイント数を差し引いた値（以下、値Ｄと呼ぶ）、及び現ポイント数（以下、値Ｅと呼ぶ）である推奨度決定要因のそれぞれに対応づけて、推奨度Ｒ１〜Ｒ５を決定する決定条件を予め格納している。特典ポイント数とは、ある特典を得るのに必要なポイント数の下限であってよい。そして、推奨度決定部２４０は、推奨度決定要件のそれぞれについて決定された推奨度Ｒ１〜Ｒ５の総和をクレジットカード毎に算出して、それを推奨度とする。
【００４９】
例えば、推奨度決定部２４０は、より大きい値Ａに対応づけて、より大きい推奨度Ｒ１を決定する決定条件を格納している。これにより、推奨度決定部２４０は、ユーザ１９０のクレジットカードの利用傾向に応じた推奨度を決定することができる。なお、利用額とは、予め定められた期間内における利用額であってよい。また、この発明における利用頻度とは、利用額及び利用回数を包む概念であってよい。また、推奨度決定部２４０は、より大きい値Ｂに対してより大きい推奨度Ｒ２を決定する決定条件を格納している。これにより、推奨度決定部２４０は、利用可能残高を超えてしまう可能性が高いクレジットカードの推奨度を低く算出することができる。また、推奨度決定部２４０は、値Ｃが正であることを条件として、より小さい値Ｃに対してより大きい推奨度Ｒ３を決定する決定条件を格納している。これにより、推奨度決定部２４０は、特典がもらえるポイント数に近いポイント数を既に取得しているクレジットカードの推奨度を高く算出することができる。また、推奨度決定部２４０は、値Ｃが正であることを条件として、値Ｄが正である場合により高い推奨度Ｒ４を決定する決定条件を格納している。これにより、推奨度決定部２４０は、店舗１６０での平均購買額の利用によって特典ポイントに達することが期待されるクレジットカードの推奨度を高く算出することができる。また、推奨度決定部２４０は、より大きい値Ｅに対してより大きい推奨度Ｒ５を決定する決定条件を格納している。多くの場合、１つのクレジットカードにより多くのポイント数を蓄積することによって、より価値の高い特典を得ることが期待される。
【００５０】
なお、本図で説明した決定条件は、推奨度を決定するための条件の一例であって、推奨度決定部２４０は、他のカード利用情報及び決定条件、並びにその組み合わせに基づいて、様々な方法で推奨度を決定することができる。例えば、推奨度決定部２４０が推奨度を決定する場合に、ポイントの失効期限、支払い口座、前回の利用日等をカード利用情報格納部１８０から取得してよい。そして、推奨度決定部２４０は、ポイント数が特典ポイント数により近いクレジットカードについては、ポイントの失効期限がより近づいているクレジットカードの推奨度をより高く決定してよい。また、推奨度決定部２４０は、クレジットカードを利用することによって支払い口座の数が増加してしまう場合には、そのクレジットカードの推奨度を低く決定することもできる。また、推奨度決定部２４０は、ユーザ１９０によってクレジットカード毎に予め設定されている優先度に基づいて推奨度を決定してよいことは言うまでもない。なお、この発明における、推奨度決定部２４０がカード識別情報毎に推奨度を算出するということは、カード会社１７０及びブランド毎に推奨度を算出する場合を含む。例えば、ユーザ１９０が同じカード会社１７０から発行された同じブランドの複数のクレジットカードを所有している場合には、利用可能残高、ポイント数等が、それらの複数のクレジットカードについて合算されてユーザ１９０に付与される場合があるので、推奨度決定部２４０は、カード会社１７０及びブランド毎にポイント数に関する推奨度を決定することが望ましい。
【００５１】
図５は、ＩＣカード１１０が表示するカード情報の表示内容の一例を示す。提示制御部２６０は、カード提示部２５０の表示領域５００の異なる場所５１０及び５１２、カード情報を表示する。このとき、提示制御部２６０は、推奨度決定部２４０が決定した推奨度のより高いクレジットカードのカード情報５１０をより大きく、より中央の位置に表示する。なお、提示制御部２６０は、推奨度の高い順に決定された順位に対応づけて、表示領域５００に表示されるべきカード情報の位置及び大きさを定めたテンプレートを予め格納している。そして、提示制御部２６０は、推奨度決定部２４０が決定した推奨度の高い順に決定された順位に対応づけて予め記憶している位置及び大きさで、表示領域５００にカード情報を表示させてよい。また、提示制御部２６０は、第２位の順位のクレジットカードのカード情報を点滅表示させてもよい。提示制御部２６０は、上記のような表示態様を、テンプレートとして予め格納している。なお、提示制御部２６０は、利用可能残高を含むカード情報を表示してもよい。
【００５２】
また、ＩＣカード１１０は、ＩＣカード１１０によって使用することができるクレジットカードのカード情報を、予め定められた位置に表示してもよい。例えば、ＩＣカード１１０は、表示領域５００の固定された表示域５３０ａ〜ｉ（以下、表示域５３０と総称する）に、クレジットカードのカード情報を表示する。そして、提示制御部２６０は、利用可能カード特定部２３０が特定したクレジットカードのカード情報を、当該クレジットカードのカード情報が表示される表示域５３０に表示させてよい。このとき提示制御部２６０は、利用可能カード特定部２３０が特定しなかったクレジットカードのカード情報を表示域５３０に表示させなくてもよいし、利用不可能である旨を示すマークとともに表示させてもよい。
【００５３】
また、提示制御部２６０は、推奨度決定部２４０が決定した推奨度のより高いクレジットカードのカード情報が表示される表示域（例えば、表示域５３０ｂ）に表示する内容を、より高いコントラストで表示してよい。以上説明したように、提示制御部２６０は、推奨度の順位に応じたカード情報の表示態様を予め格納しており、推奨度決定部２４０が決定した推奨度の順位に対応づけて格納している表示態様で、カード提示部２５０に表示させる。これにより、ＩＣカード１１０は、推奨度のより高いクレジットカードを、ユーザ１９０により強調して視認させることができる。なお、ＩＣカード１１０は、カードの両面にカード提示部２５０を有してよい。そして、提示制御部２６０は、順位の最も高いクレジットカードのカード情報を第１の面のカード提示部２５０の全面に表示させ、その他の１以上のクレジットカードのカード情報を第２の面のカード提示部２５０に表示させてもよい。
【００５４】
図６は、カード提示部２５０及びセンサ部２９４の構造の一例を示す。センサ部２９４は、カード提示部２５０に隣接して設けられる。センサ部２９４は、複数の感知域６１０ａ〜ｆ（以下、感知域６１０と総称する）を有する。感知域６１０は、カード提示部２５０が提示制御部２６０がカード情報を表示する表示域６２０及び６３０に対応づけて設けられる。例えば、表示域６２０は感知域６１１ａ〜ｃの下面に位置しており、表示域６３０は感知域６１１ｄ〜ｆの下面に位置している。
【００５５】
感知域６１１のそれぞれには、それぞれに対するユーザ１９０による指示操作を感知するセンサが設けられる。センサは、例えばユーザ１９０の指が触れられる前後における静電容量の変化、圧力の変化等を感知する。例えば、ユーザ１９０が指で表示域６２０を触れると、感知域６１０ａ〜ｃに設けられたいずれかのセンサがその旨を検知する。
【００５６】
なお、感知域６１０ａ〜ｃに設けられたセンサの感度は、感知域６１０ｄ〜ｆに設けられたセンサの感度より高い感度を持つ。そして、提示制御部２６０は、感知域６１０ａ〜ｃの下面の表示域６２０に、より高い推奨度が決定されたクレジットカードのカード情報を提示させる。このようにすると、より低い推奨度が決定されたクレジットカードが選択されるには、そのカード情報が表示された感知域がより強く触れられる必要がある。このため、低い推奨度が決定されたクレジットカードが誤って選択されてしまう可能性が低くなる。
【００５７】
なお、感知域６１０の感度はＩＣカード１１０が製造されたときに予め固定的に設定されていてよい。そして、提示制御部２６０は、推奨度決定部２４０がより高い推奨度を決定したクレジットカードのカード情報を、より高い感度が予め設定されている感知域６１０に対応づけて提示してよい。また、感知域６１０の感度は可変であってよい。この場合、センサ部２９４は、提示制御部２６０が提示するカード情報の推奨度に応じて感知域６１０の感度を動的に変化させてもよい。例えば、センサ部２９４は、より高い推奨度が決定されたクレジットカードのカード情報が対応づけられて提示される感知域６１０の感度を、より高く設定してよい。
【００５８】
なお、提示制御部２６０は、推奨度決定部２４０がより高い推奨度を決定したクレジットカードのカード情報を、より大きい感知面積を持つ感知域６１０に対応づけて提示してよい。例えば、センサ部２９４は、クレジットカードのロゴ画像等のイメージが表示される表示域６２０の全域へのユーザ１９０からの指示操作を感知する感知域６１０ａ〜ｃを、ユーザ１９０からの操作に対して感知可能に設定する。そして、センサ部２９４は、表示域６３０に対応する感知域６１０ｄ〜ｆにおいては、表示域６３０の一部の領域（例えば、ロゴ画像等のイメージが表示される表示領域の中心領域）へのユーザ１９０からの指示操作を感知する感知域６１０ｅを、ユーザ１９０からの指示に対して感知可能に設定し、他の感知域６１０ｄ及びｆをユーザ１９０からの指示に対して感知不可に設定してよい。このように、センサ部２９４は、表示域６２０及び６３０のそれぞれにおいて、ユーザ１９０からの操作を感知することができる感知域６１０の数（又は密度）を変化させることによって、表示域６２０及び６３０に対応する感知面積を変化させることができる。
【００５９】
その他にも、センサ部２９４は、ユーザ１９０から所定数以上の操作回数を検出した場合に、ユーザ１９０による操作を感知した旨を決定してよい。操作回数とは、例えば、予め定められた時間差より小さい時間間隔で、ユーザ１９０によって連続的に指示操作（例えば、タッチ操作）された数であってよい。そして、センサ部２９４は、操作回数を変化させることによって、ユーザ１９０からの指示操作に対する、感知域６１０のそれぞれの感度を決定してよい。より具体的には、センサ部２９４は、感知域６１０ａ〜ｃにおいてユーザ１９０から１回以上の操作回数を検出した場合に、ユーザ１９０による操作を感知した旨を決定する。そして、センサ部２９４は、感知域６１０ｄ〜ｆにおいてユーザ１９０から２回以上の操作回数を検出した場合に、ユーザ１９０による操作を感知した旨を決定する。このように、センサ部２９４は、ユーザ１９０による操作を感知した旨を決定するための操作回数をより小さく設定することによって、感知域６１０の感度をより大きく設定することができる。
【００６０】
その他にも、センサ部２９４は、ユーザ１９０から所定時間以上の操作時間を検出した場合に、ユーザ１９０による操作を感知した旨を決定してよい。操作時間とは、例えば、ユーザ１９０によって連続的に指示操作された時間（例えば、連続的にタッチされた時間）であってよい。そして、センサ部２９４は、操作時間を変化させることによって、ユーザ１９０からの指示操作に対する、感知域６１０のそれぞれの感度を決定してよい。より具体的には、センサ部２９４は、感知域６１０ａ〜ｃにおいてユーザ１９０から第１時間以上の操作時間を検出した場合に、ユーザ１９０による操作を感知した旨を決定する。そして、センサ部２９４は、感知域６１０ｄ〜ｆにおいてユーザ１９０から第１時間より長い第２時間以上の操作時間を検出した場合に、ユーザ１９０による操作を感知した旨を決定する。このように、センサ部２９４は、ユーザ１９０による操作を感知した旨を決定するための操作時間をより短く設定することによって、感知域６１０の感度をより大きく設定することができる。
【００６１】
なお、上記の説明では、操作回数又は操作時間に基づいて、センサ部２９４がユーザ１９０による操作を感知したか否かを判断する動作について説明したが、このような判断は、感知域６１０における操作回数又は操作時間に基づいて利用カード選択部２７０が行い得るということは言うまでもない。
【００６２】
以上説明したように、ＩＣカードシステム１００によると、ユーザ１９０は、１枚のＩＣカード１１０を用いて複数のクレジットカードの機能を利用することができるので、複数のクレジットカードを持ち歩く必要がなくなる。また、ユーザ１９０は、店舗１６０で利用可能なクレジットカードを店舗１６０への入店時に判別することができる。また、ＩＣカード１１０は、店舗１６０への入店時に、複数のクレジットカードのそれぞれの推奨度をユーザ１９０に提示することができるので、ユーザ１９０はその店舗１６０でいずれのクレジットカードを利用することが適切であるかを容易に判断することができる。このように、ＩＣカードシステム１００によると、ユーザ１９０にとって利便性の高いクレジットカードの利用環境を提供することができる。なお、以上の説明においては、一実施形態におけるＩＣカード１１０を用いてこの発明を説明したが、他の実施形態では、ＩＣカード１１０のようなＩＣチップが搭載されたカード型の媒体に代えて、ＩＣチップを搭載した携帯端末（例えば、携帯電話、携帯情報端末（ＰＤＡ）等）を用いることができる。
【００６３】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００６４】
【図１】ＩＣカードシステム１００の利用環境の一例を示す図である。
【図２】ＩＣカード１１０のブロック構成の一例を示す図である。
【図３】ＩＣカード１１０の動作フローの一例を示す図である。
【図４】推奨度決定部２４０が格納している推奨度決定要因の一例を示す図である。
【図５】ＩＣカード１１０による表示内容の一例を示す図である。
【図６】カード提示部２５０及びセンサ部２９４の一例を示す図である。
【符号の説明】
【００６５】
１００  ＩＣカードシステム
１１０  ＩＣカード
１２０  サービス提供サーバ
１２５  アンテナ
１３０  利用可能カード格納部
１３５  決済端末
１４０  充電装置
１５０  通信回線
１６０  店舗
１７０  カード会社
１７５  カード情報サーバ
１８０  カード利用情報格納部
１９０  ユーザ
２００  カード格納部
２１０  利用可能カード取得部
２２０  カード利用情報取得部
２３０  利用可能カード特定部
２４０  推奨度決定部
２５０  カード提示部
２６０  提示制御部
２７０  利用カード選択部
２８０  利用カード設定部
２９０  通信制御部
２９２  検知部
２９４  センサ部
２９６  充電部
２９８  電源部
【図１】
2007272728.tif 000003
【図２】
2007272728.tif 000004
【図３】
2007272728.tif 000005
【図４】
2007272728.tif 000006
【図５】
2007272728.tif 000007
【図６】
2007272728.tif 000008